(57)【要約】      （修正有）【課題】掛部を上下方向に開閉するファスナーと、足元部分を開閉するファスナーとを閉じたときに生じる間隙から外気が入ることを抑制する寝袋を提供する。【解決手段】左掛部４と右掛部５の側縁が掛部用スライドファスナー６を介して繋ぎ合わされ、左掛部の下縁及び敷部２の下縁が、左下縁用スライドファスナー９を介して繋ぎ合わされ、右掛部の下縁及び敷部の下縁が、右下縁用スライドファスナー１２を介して繋ぎ合わされ、これらのスライドファスナーを閉じた状態で、掛部用スライドファスナーの下端、左下縁用スライドファスナーの側端９ａと右下縁用スライドファスナーの側端１２ａとの間に形成される間隙を閉塞するように、間隙に突き出た第１閉塞部３１及び第２閉塞部３２が設けられる。【選択図】図４
0003195245.tif 000002
【実用新案登録請求の範囲】
【請求項１】
使用者が敷く敷部と、
上記敷部の左側に続いて設けられ使用者に掛ける左掛部と、
上記敷部の右側に続いて設けられ使用者に掛ける右掛部と、
上記左掛部の側縁と上記右掛部の側縁を繋ぎ合わせる掛部用スライドファスナーと、
上記敷部の下縁と上記左掛部の下縁を繋ぎ合わせる左下縁用スライドファスナーと、
上記敷部の下縁と上記右掛部の下縁を繋ぎ合わせる右下縁用スライドファスナーとを備え、
上記掛部用スライドファスナー、上記左下縁用スライドファスナー及び上記右下縁用スライドファスナーを閉じた状態で、上記掛部用スライドファスナーの下端と、上記左下縁用スライドファスナー及び上記右下縁用スライドファスナーの相対する末端との間に間隙がある寝袋であって、
上記間隙を閉塞するように、上記左掛部と上記右掛部の少なくとも一方に、上記掛部用スライドファスナーの下端より上記間隙に突き出た第１閉塞部が設けられるとともに、上記敷部、上記左掛部及び上記右掛部のうちの少なくとも一つに、上記左下縁用スライドファスナー或いは上記右下縁用スライドファスナーの末端より上記間隙に突き出た第２閉塞部が設けられることを特徴とする寝袋。
【請求項２】
請求項１において、
上記第２閉塞部が、上記左下縁用スライドファスナー及び上記右下縁用スライドファスナーの末端より、それぞれ上記間隙に突き出て設けられ、この両第２閉塞部が互いに重なり、上記第１閉塞部が該両第２閉塞部に重なって上記間隙を閉塞するようになっていることを特徴とする寝袋。
【請求項３】
請求項１又は２において、
上記第１閉塞部及び上記第２閉塞部が、中綿を有する袋体で形成されていることを特徴とする寝袋。
【請求項４】
請求項２、又は請求項２を引用する請求項３において、
上記掛部用スライドファスナー、上記左下縁用スライドファスナー及び上記右下縁用スライドファスナーの各々スライドファスナーの裏側に該各々スライドファスナーに沿って設けられた、該各々スライドファスナーの各スライダが周辺の布地を噛み込むことを防止する噛込み防止布と、
上記噛込み防止布の裏側に該噛み込み防止布に沿って設けられた、上記各々スライドファスナーを閉じた時に隙間風の侵入を防止する防寒用裏縁とを有し、
上記第１閉塞部及び上記第２閉塞部が、上記防寒用裏縁を上記間隙まで延設することによって形成されていることを特徴とする寝袋。
【考案の詳細な説明】
【技術分野】
【０００１】
本考案は、使用者が敷く敷部と、使用者が掛ける掛部とを備えた寝袋に関するものである。
【背景技術】
【０００２】
一般的に、寝袋は、主にテントやキャンピングカー等で寝泊まりする所謂アウトドア活動において、就寝時に寒さを防ぐ為の寝具として利用されている。
【０００３】
そして、使用者にとっての快適性や利便性を向上させるために、各種構造の寝袋が開示されている。例えば、特許文献１では、所謂封筒型寝袋であって、一方端（上部）に出入り用の開口部を備えると共に、該開口部に対向する他方端（下縁）に、該寝袋の両側から中央側に向けて、該寝袋の上面部（掛部）と下面部（敷部）とを閉じ合わせる雌雄をなす一対のスライドファスナー（左下縁用スライドファスナー及び右下縁用スライドファスナー）が設けられ、該上面部の略中央に雌雄をなす一対のスライドファスナー（掛部用スライドファスナー）が上下方向に延びて設けられている構造が開示されている。
【０００４】
ところで、このような寝袋において、一対のスライドファスナーを閉じたときに、スライドファスナーの閉じ合わせ部分に僅かな隙間が生じることがある。この隙間を塞ぐために、例えば特許文献２に示すものが開示されている。特許文献２では、上掛シート（掛部）と下敷きシート（敷部）の一方の側縁及び下縁をスライドファスナーで分離可能に連結し、長手方向一端（上部）を開放した長方形の袋状の寝袋において、この寝袋の内周縁（即ち、開放した一端及びスライドファスナー部分）に沿って回り縁片が設けられている。この回り縁片で上記一端部分やスライドファスナーの閉じ合わせ部分から隙間風が侵入することを防止するようにしたものである。
【先行技術文献】
【特許文献】
【０００５】
【特許文献１】特開平０９−０９４１４８号公報（［００４０］〜［００４４］、図９、図１０）
【特許文献２】特開平１０−１０８７７４号公報（［００１３］、図１６〜図１８）
【考案の概要】
【考案が解決しようとする課題】
【０００６】
特許文献２のようにスライドファスナー部分に沿って回り縁片を設けることで、スライドファスナーの閉じ合わせ部分に生じうる僅かな隙間から入り込む隙間風は抑制できる。
【０００７】
しかし、スライドファスナーの閉じ合わせ部分の僅かな隙間ではなく、閉じ合わせ部分の末端と、上掛シート及び下敷きシートとの間に生じる間隙からの寒気の侵入が問題になることがある。特に、上述した特許文献１のような構造では、上面部のスライドファスナー及び他方端（下縁）を開閉するスライドファスナーが閉じられると、上面部のスライドファスナーの下端及び他方端を開閉するスライドファスナーの末端とが、使用者の足元部分で出合うようになる。そして、縫製上、この出合う部分に間隙が空いてしまうことになる。そうすると、使用者の足元に位置するこの間隙から寒気が入るという問題が生じる。
【０００８】
本考案では、上記問題に鑑みて、寝袋の掛部に上下方向に設けたスライドファスナーと、寝袋の下縁に左右方向に設けたスライドファスナーとが出合う部分に生じる間隙からの外気の侵入を防止できる構造を提供することを目的とする。
【課題を解決するための手段】
【０００９】
上記の目的を達成するために、この考案では、寝袋の掛部の幅方向中央寄りで且つ下端側に形成される間隙を塞ぐようにした。
【００１０】
具体的には、第１の考案は、使用者が敷く敷部と、上記敷部の左側に続いて設けられ使用者に掛ける左掛部と、上記敷部の右側に続いて設けられ使用者に掛ける右掛部と、上記左掛部の側縁と上記右掛部の側縁を繋ぎ合わせる掛部用スライドファスナーと、上記敷部の下縁と上記左掛部の下縁を繋ぎ合わせる左下縁用スライドファスナーと、上記敷部の下縁と上記右掛部の下縁を繋ぎ合わせる右下縁用スライドファスナーとを備え、上記掛部用スライドファスナー、上記左下縁用スライドファスナー及び上記右下縁用スライドファスナーを閉じた状態で、上記掛部用スライドファスナーの下端と、上記左下縁用スライドファスナー及び上記右下縁用スライドファスナーの相対する末端との間に間隙がある寝袋であって、上記間隙を閉塞するように、上記左掛部と上記右掛部の少なくとも一方に、上記掛部用スライドファスナーの下端より上記間隙に突き出た第１閉塞部が設けられるとともに、上記敷部、上記左掛部及び上記右掛部のうちの少なくとも一つに、上記左下縁用スライドファスナー或いは上記右下縁用スライドファスナーの末端より上記間隙に突き出た第２閉塞部が設けられることを特徴とする。
【００１１】
第２の考案では、第１の考案において、上記第２閉塞部が、上記左下縁用スライドファスナー及び上記右下縁用スライドファスナーの末端より、それぞれ上記間隙に突き出て設けられ、この両第２閉塞部が互いに重なり、上記第１閉塞部が該両第２閉塞部に重なって上記間隙を閉塞するようになっていることを特徴とする。
【００１２】
第３の考案は、第１又は第２の考案において、上記第１閉塞部及び上記第２閉塞部が、内部に中綿を有する袋体で形成されていることを特徴とする。
【００１３】
第４の考案では、第２又は第２を引用する第３の考案において、上記掛部用スライドファスナー、上記左下縁用スライドファスナー及び上記右下縁用スライドファスナーの各々スライドファスナーの裏側に該各々スライドファスナーに沿って設けられた、該各々スライドファスナーの各スライダが周辺の布地を噛み込むことを防止する噛込み防止布と、上記噛込み防止布の裏側に該噛み込み防止布に沿って設けられた、上記各々スライドファスナーを閉じた時に隙間風の侵入を防止する防寒用裏縁とを有し、上記第１閉塞部及び上記第２閉塞部が、上記防寒用裏縁を上記間隙まで延設することによって形成されていることを特徴とする。
【考案の効果】
【００１４】
第１の考案によると、掛部用スライドファスナー、左下縁用スライドファスナー及び右下縁用スライドファスナーとを閉じたときに、掛部用スライドファスナーの下端、左下縁用スライドファスナーの末端及び右下縁用スライドファスナーの末端との間にできる間隙を、第１閉塞部及び第２閉塞部で閉塞するので、寝袋を使用する使用者の足元に位置するこの間隙から、寒気が入ることを大幅に抑制でき、保温性に優れる。
【００１５】
第２の考案によると、第１閉塞部と２つの第２閉塞部とを重ね合わせて間隙を閉塞するので、より確実に外気の侵入を防止でき、保温性が向上する。
【００１６】
第３の考案によると、第１閉塞部及び第２閉塞部が、中綿を有する袋体で形成されているので、防寒機能に優れる。
【００１７】
第４の考案によると、各噛込み防止布がそれぞれのスライドファスナーに沿って設けられるので、スライドファスナーのスライダが周辺の布地を噛み込むことを確実に防止できる。さらに、これらの噛込み防止布よりも裏側に、防寒用裏縁が設けられているので、各スライドファスナーを閉じた時に隙間風の侵入を防止できて保温性に優れる。なお、ここでいう隙間風の隙間とは、各スライドファスナーを閉じた時に閉じ合わせ部分に生じうる僅かな隙間のことをいう。
【図面の簡単な説明】
【００１８】
【図１】図１は、本考案の実施形態１に係る寝袋の閉じた状態を示す平面図である。
【図２】図２は、図１の寝袋を展開した状態の平面図である。
【図３】図３は、図１の寝袋の足元部分の拡大斜視図である。
【図４】図４は、図１の寝袋の足元部分において、寝袋の一部を開いた状態を示す斜視図である。
【図５】図５は、図１の寝袋の第１閉塞部、第２閉塞部を重ねた状態を説明する部分拡大斜視図である。
【考案を実施するための形態】
【００１９】
以下、本考案の実施形態を図面に基づいて詳細に説明する。以下の好ましい実施形態の説明は、本質的に例示に過ぎず、本考案、その適用物或いはその用途を制限することを意図するものではない。
（実施形態）
図１に示すように、寝袋１は、袋状で所謂封筒型と呼ばれる形状からなり、一般的に知られているように、綿、ポリエステル、ナイロン等からなる２枚の布地の間に羽毛や中綿等の保温材が封入されて構成されている。なお、以下の説明において、図１及び図２に示すように、寝袋１の使用者Ｎの頭部が位置する部分（図１の紙面の上側）を寝袋１の上部、使用者の足元が位置する部分（図１の紙面の下側）を寝袋１の下部と称す。また、寝袋１の内面側を裏側と称す。
【００２０】
図１及び図２に示すように、寝袋１は、その中で寝る使用者Ｎが仰向けで寝た場合に、背面側になって敷かれる敷部２と、この使用者Ｎの正面側になり、使用者Ｎの上に掛けられる略矩形状の掛部３を備えている。敷部２は、掛部３と同様な形状に加えて、使用者Ｎの頭部が載せられる略半円状の頭部受け部を備える。掛部３は、略矩形状の左掛部４及び略矩形状の右掛部５からなる。左掛部４は、敷部２の左側縁に続いて設けられ、右掛部５は、敷部２の右側縁に続いて設けられている。敷部２と繋がっていない左掛部４の側縁と右掛部５の側縁は、掛部用スライドファスナー６で繋ぎ合わされるようになっている。なお、実際の寝袋の形態においては、敷部２と掛部３とが区切られず連続して一体に形成された物も多くあるが、本考案は、このようなタイプも含むものである。
【００２１】
使用者Ｎの足元が位置する寝袋１の下部には、左掛部４の下縁４ｂと敷部２の下縁２ａとを繋ぎ合わせる左下縁用スライドファスナー９、右掛部５の下縁５ｂと敷部２の下縁２ｂとを繋ぎ合わせる右下縁用スライドファスナー１２が設けられている。また、使用者Ｎの頭部が位置する寝袋１の上部は開口している。
【００２２】
掛部用スライドファスナー６は、上側スライダ７ａ、下側スライダ７ｂ及びファスナーエレメント８，８を備え、上下方向の両方から開閉できると共に、スライダ７ａ、７ｂを下端６ｂまでスライドさせると左右に分離できる所謂オープンファスナーからなっている。上側スライダ７ａを掛部用スライドファスナー６の上端６ａまでスライドさせ、下側スライダ７ｂを掛部用スライドファスナー６の下端６ｂまでスライドさせると左右のファスナーエレメント８，８同士が噛み合って、左掛部４と右掛部５とが閉じ合わせられる。
【００２３】
図３に示すように、左下縁用スライドファスナー９には、左側スライダ１０とファスナーエレメント１１，１１が設けられ、左側スライダ１０を左下縁用スライドファスナー９の側端（所謂スライドファスナーの末端であり、以下の説明においては側端と称す。）９ａまでスライドさせるとファスナーエレメント１１，１１同士が噛み合い、左掛部４と敷部２とが閉じ合わせられる。これと同様に、右下縁用スライドファスナー１２には、右側スライダ１３とファスナーエレメント１４，１４が設けられ、右側スライダ１３を右下縁用スライドファスナー１２の側端（末端）１２ａまでスライドさせるとファスナーエレメント１４，１４同士が噛み合い、右掛部５と敷部２とが閉じ合わせられる。逆に、左側スライダ１０及び右側スライダ１３を、それぞれ側端９ａ、１２ａとは反対側の側端までスライドさせると、所謂オープンファスナーからなる左下縁用スライドファスナー９及び右下縁用スライドファスナー１２を分離することができる。この分離状態で、掛部用スライドファスナー６の上側スライダ７ａ及び下側スライダ７ｂを下端６ｂまで下ろして掛部用スライドファスナー６を左右に分離させると、図２に示すように、左掛部４と右掛部５を敷部２の両側に展開することができる。なお、図２においては、後述する掛部用防寒裏縁２１や掛部用噛込み防止布４１等、ファスナー６、９、１２の裏側に設けられる部材は省略して示す。
【００２４】
また、掛部３の左掛部４及び右掛部５には、それぞれ、使用者Ｎの両手Ｈ，Ｈを出し入れする手用開口部１５が設けられている。手用開口部１５は、手用ファスナー１６で開閉可能になっている。掛部３の掛部用スライドファスナー６を閉じた状態でも、手用開口部１５から手Ｈを出して自由に動かすことができる。
【００２５】
図４及び図５に示すように、各スライドファスナー６、９、１２の各スライダ７ａ、７ｂ、１０、１３をスライドさせるときに周辺の布地を噛み込むことを防止するために、左掛部４、右掛部５及び敷部２に噛込み防止布が縫製されている。噛込み防止布は、寝袋１の左掛部４の側縁４ａと右掛部５の側縁５ａに設けた掛部用スライドファスナー６のファスナーエレメント８，８の裏側に、ファスナーエレメント８，８に沿って上下方向に延びる掛部用噛込み防止布４１，４１と、左下縁用スライドファスナー９のファスナーエレメント１１，１１の裏側に、ファスナーエレメント１１，１１に沿って左右方向に延びる左用噛込み防止布４３，４３と、右下縁用スライドファスナー１２のファスナーエレメント１４，１４の裏側に、ファスナーエレメント１４，１４に沿って左右方向に延びる右用噛込み防止布４５，４５とからなっている。
【００２６】
これら掛部用噛込み防止布４１，４１、左用噛込み防止布４３，４３及び右用噛込み防止布４５，４５によって、掛部用スライドファスナー６、左下縁用スライドファスナー９及び右下縁用スライドファスナー１２を開閉する時に、スライダ７ａ、７ｂ、１０、１３が周辺の布地を噛み込むことを防止するようになっている。特に、後で詳細を説明する防寒用裏縁（掛部用防寒裏縁２１、左足元用防寒裏縁２３、右足元用防寒裏縁２５）を噛み込むことを防止できる。
【００２７】
図３及び図４に示すように、掛部用スライドファスナー６、左下縁用スライドファスナー９及び右下縁用スライドファスナー１２を閉じると、三方向からのスライダ７ｂ、１０、１３が一番接近した状態になるが、掛部用スライドファスナー６の下端６ｂ、左下縁用スライドファスナー９の側端９ａ及び右下縁用スライドファスナー１２の側端１２ａとの間には、構造上、間隙Ｓが形成される。この間隙Ｓが、以下に述べる第１閉塞部３１及び第２閉塞部３２で閉塞される。
【００２８】
上記第１閉塞部３１及び第２閉塞部３２の詳細構造を説明する。
【００２９】
掛部用防寒裏縁２１（防寒用裏縁）が、右掛部５に設けた掛部用噛込み防止布４１の裏側に、掛部用噛込み防止布４１に沿って上下方向に延びて、右掛部５に縫製されている。掛部用防寒裏縁２１は、内部に中綿等を詰めた帯状の柔らかい袋体からなる。掛部用防寒裏縁２１が掛部用スライドファスナー６の裏側に存することによって、ファスナーエレメント８の閉じ合わされた部分に生じうる僅かな隙間からの寒気の侵入を確実に防止できるようになっている。
【００３０】
第１閉塞部３１は、上記掛部用防寒裏縁２１を間隙Ｓに延設することによって形成されている。すなわち、帯状の袋体のうち、掛部用スライドファスナー６の裏側に設けられた部分が掛部用防寒裏縁２１で、掛部用スライドファスナー６の下端６ｂよりも突き出た部分が第１閉塞部３１となっている。
【００３１】
左足元用防寒裏縁２３（防寒用裏縁）、右足元用防寒裏縁２５（防寒用裏縁）は、それぞれ、左用噛込み防止布４３及び右用噛込み防止布４５の裏側に、左用噛込み防止布４３及び右用噛込み防止布４５に沿って左右方向に延びて、左掛部４、右掛部５の下縁にそれぞれ縫製されている。左足元用防寒裏縁２３及び右足元用防寒裏縁２５は、それぞれ内部に中綿等を詰めた帯状の柔らかい袋体からなる。左足元用防寒裏縁２３及び右足元用防寒裏縁２５が左右の下縁用スライドファスナー９、１２の裏側に存することによって、ファスナーエレメント１１、１４の閉じ合わされた部分に生じうる僅かな隙間からの寒気の侵入を確実に防止できるようになっている。
【００３２】
第２閉塞部３２のうち、左掛部４に設けられた第２閉塞部を左側閉塞具３３、右掛部５に設けられた第２閉塞部を右側閉塞具３５と称す。左側閉塞具３３及び右側閉塞具３５は、左足元用防寒裏縁２３及び右足元用防寒裏縁２５を、それぞれ間隙Ｓに延設することによって形成されている。すなわち、帯状の袋体のうち、左下縁用スライドファスナー９及び右下縁用スライドファスナー１２の裏側に設けられた部分が左足元用防寒裏縁２３及び右足元用防寒裏縁２５で、左下縁用スライドファスナー９の側端９ａ及び右下縁用スライドファスナー１２の側端１２ａよりも突き出た部分が左側閉塞具３３及び右側閉塞具３５となっている。
【００３３】
第１閉塞部３１及び第２閉塞部３２である左側閉塞具３３、右側閉塞具３５の重ね方の一例を、図３ないし図５に基づいて説明する。掛部用スライドファスナー６の下側スライダ７ｂが下端６ｂまでスライドしていない少し開いた状態、左下縁用スライドファスナー９の左側スライダ１０及び右下縁用スライドファスナー１２の右側スライダ１３が側端までスライドしていない少し開いた状態とする。そして、第２閉塞部３２の左側閉塞具３３を右方向に、右側閉塞具３５を左方向に、それぞれ自然に延ばしたまま重ね合わせる。そして、図５に示すように、この重なった部分に第１閉塞部３１を覆い被せて、その端部を敷部２の内面側（裏側）に回り込ませる。この状態にして、掛部用スライドファスナー６の下側スライダ７ｂを下端６ｂまでスライドさせ、左下縁用スライドファスナー９の左側スライダ１０及び右下縁用スライドファスナー１２の右側スライダ１３を側端９ａ、１２ａまでそれぞれスライドさせて全てのファスナーを閉めた状態にする。そうすると、図３に示すように、第１閉塞部３１と左側閉塞具３３と右側閉塞具３５とが重なった状態で、間隙Ｓが塞がれるので、外からの寒気が入る或いは寝袋１内の空気が外に逃げることが確実に防止され、保温性に優れる。
【００３４】
なお、第１閉塞部３１及び第２閉塞部３２は柔軟性があるので、色々な重ね方が可能である。これらの重ね方は上記の例に限られるものではなく、使用者が自由にアレンジすることができる。また、第１閉塞部３１及び第２閉塞部３２の長さや断面積の大きさ等は、間隙Ｓを埋めることができるものであればよく、寝袋１の大きさやファスナーの大きさ等によって適当な長さ等に設定すればよい。
（その他の実施形態）
本実施形態では、寝袋１は、所謂封筒型として示したが、これに限られるものではなく、所謂マミー型や、より正方形に近い形状等、他の形状であってもよい。
【００３５】
また、本実施形態では、掛部３の左掛部４と右掛部５とは、幅方向の略中央位置で分かれているが、必ずしも中央位置でなくてもよく、中央位置から左右にずれて分かれていてもよい。
【００３６】
また、第１閉塞部３１は、右掛部５の掛部用防寒裏縁２１に延設されて一体に形成されているが、掛部用防寒裏縁２１と一体ではなく、別々に設けるようにしてもよい。また、第１閉塞部３１を右掛部５ではなく左掛部４に設けてもよく、両方に設けてもよい。また、掛部用防寒裏縁２１は、右掛部５に設けた掛部用噛込み防止布４１の裏側に設けたが、左掛部４に設けた掛部用噛込み防止布４１の裏側に設けてもよく、或いは左掛部４と右掛部５の両方に設けてもよい。
【００３７】
また、第２閉塞部３２は、左足元用防寒裏縁２３及び右足元用防寒裏縁２５に延設されて一体に形成されているが、左右の足元用防寒裏縁と一体ではなく、別々に設けるようにしてもよい。また、左右の足元用防寒裏縁は、掛部３の下縁に設けた左右の噛込み防止布４３、４５の裏側に設けたが、敷部２の下縁に設けた左右の噛込み防止布４３、４５の裏側に設けてもよい。
【００３８】
また、間隙Ｓを塞ぐ部材は、第１閉塞部３１、左側閉塞具３３、右側閉塞具３５の３つに限られるものではなく、他の数でもよい。なお、間隙Ｓを塞ぐには、第１閉塞部３１と、左側閉塞具３３及び右側閉塞具３５の少なくとも一方が設けられることが好ましい。
【産業上の利用可能性】
【００３９】
本考案は、使用者が敷く敷部と、使用者が掛ける掛部とを備えた寝袋であって、寝袋の掛部が左右に分割され、左右の掛部がスライドファスナーで繋ぎ合わされたタイプの寝袋に極めて有用である。
【符号の説明】
【００４０】
Ｎ          使用者
１          寝袋
２          敷部
２ａ        下縁
２ｂ        下縁
３          掛部
４          左掛部
４ａ        側縁
４ｂ        下縁
５          右掛部
５ａ        側縁
５ｂ        下縁
６          掛部用スライドファスナー
６ｂ        下端
９          左下縁用スライドファスナー
９ａ       側端
１２        右下縁用スライドファスナー
１２ａ     側端
２１        掛部用防寒裏縁
２３        左足元用防寒裏縁
２５        右足元用防寒裏縁
Ｓ          間隙
３１        第１閉塞部
３２        第２閉塞部
４１        掛部用噛込み防止布
４３        左用噛込み防止布
４５        右用噛込み防止布
【図１】
0003195245.tif 000003
【図２】
0003195245.tif 000004
【図３】
0003195245.tif 000005
【図４】
0003195245.tif 000006
【図５】
0003195245.tif 000007